(57)【要約】  本発明は、マスターネットワークデバイス２と、接続型デバイスシステム１に組み込まれることになるデバイス５とを備える、接続型デバイスシステムを提供する。接続型デバイスシステムは、マスターネットワークデバイスとデバイスとを、ワイヤレスネットワーク４を介して接続するように構成されている。デバイスは、ワイヤレスネットワークに追加されるとき、ワイヤレスネットワークにおいてそれ自体を宣言し、ワイヤレスネットワークにおいてアップグレードサーバを提供する。アップグレードサーバは、デバイスの特性を示すデジタル資産を取り出すために利用可能にする。マスターネットワークデバイスは、宣言に基づいて、ワイヤレスネットワークにおいてデバイスを検出し、デバイスの検出に応答して、ワイヤレスネットワークにおいてデバイスのアップグレードサーバをサーチし、デバイスのアップグレードサーバからデジタル資産を取り出す。これにより、接続型デバイスシステムにデバイスを組み込む改善されたやり方を導く。
2018510482.tif 000002
【特許請求の範囲】
【請求項１】
マスターネットワークデバイスと、接続型デバイスシステムに組み込まれることになるデバイスとを備えた当該接続型デバイスシステムであって、
前記接続型デバイスシステムは、前記マスターネットワークデバイスと前記デバイスとを、ワイヤレスネットワークを介して接続し、
前記デバイスは、前記ワイヤレスネットワークに追加されるとき、前記ワイヤレスネットワークにおいてそれ自体を宣言し、前記ワイヤレスネットワークにおいてアップグレードサーバを提供し、前記アップグレードサーバは、前記デバイスの特性を示すデジタル資産の取り出しのために利用可能にし、
前記マスターネットワークデバイスは、前記宣言に基づいて、前記ワイヤレスネットワークにおいて前記デバイスを検出し、前記デバイスの検出に応答して、前記ワイヤレスネットワークにおいて前記デバイスの前記アップグレードサーバをサーチし、前記デバイスの前記アップグレードサーバから前記デジタル資産を取り出す、接続型デバイスシステム。
【請求項２】
前記マスターネットワークデバイスは、前記ワイヤレスネットワークにおいてアップグレードサーバを提供し、前記デバイスの検出に応答して、前記ワイヤレスネットワークにおいて前記アップグレードサーバの提供を中止する、請求項１に記載の接続型デバイスシステム。
【請求項３】
前記デバイスの前記アップグレードサーバからの前記デジタル資産の取り出しが完了した後に、及び／又は、所定の遅延時間の後に、前記デバイスが前記ワイヤレスネットワークにおいて前記アップグレードサーバの提供を中止する、請求項１に記載の接続型デバイスシステム。
【請求項４】
前記マスターネットワークデバイスは、前記デバイスの前記アップグレードサーバからの前記デジタル資産の取り出しの完了を示す完了情報を送信し、前記デバイスは、完了情報の受信に応答して、中止を実施する、請求項２に記載の接続型デバイスシステム。
【請求項５】
前記接続型デバイスシステムに組み込まれることになるさらなるデバイスが検出された場合、前記マスターネットワークデバイスは、前記デバイスの前記アップグレードサーバからの前記デジタル資産の取り出しが完了した後に、前記接続型デバイスシステムに組み込まれることになる前記さらなるデバイスのアップグレードサーバをサーチする、請求項１に記載の接続型デバイスシステム。
【請求項６】
前記接続型デバイスシステムに組み込まれることになるさらなるデバイスが検出されなかった場合、前記マスターネットワークデバイスは、前記デバイスの前記アップグレードサーバからの前記デジタル資産の取り出しが完了した後に、前記ワイヤレスネットワークにおいて前記アップグレードサーバを提供する、請求項１に記載の接続型デバイスシステム。
【請求項７】
前記マスターネットワークデバイスは、前記ワイヤレスネットワークにおいて前記アップグレードサーバを提供し、前記デバイスは、前記ワイヤレスネットワークにおいて前記マスターネットワークデバイスの前記アップグレードサーバをサーチし、前記サーチは、所定の遅延時間後になってのみ開始される、請求項１に記載の接続型デバイスシステム。
【請求項８】
前記デジタル資産は、前記デバイスのタイプ及び／又は変形を示す情報、並びに前記デバイスのアイデンティティ及び／又は構成を示す情報のうちの１つ又は複数を含む、請求項１に記載の接続型デバイスシステム。
【請求項９】
前記マスターネットワークデバイスは、前記デジタル資産のコンテンツをローカルに格納し、前記コンテンツを前記デバイスに関連付ける、請求項１に記載の接続型デバイスシステム。
【請求項１０】
前記マスターネットワークデバイスに接続し、前記マスターネットワークデバイスを介して前記デバイスをワイヤレスで制御するためのプログラムを実行するモバイルデバイスをさらに備え、
前記マスターネットワークデバイスは、前記デジタル資産のコンテンツを前記モバイルデバイスに対して利用可能にする、請求項１に記載の接続型デバイスシステム。
【請求項１１】
前記接続型デバイスシステムは、接続型照明システムである、請求項１に記載の接続型デバイスシステム。
【請求項１２】
請求項１に記載の接続型デバイスシステムにおいて使用するためのマスターネットワークデバイスであって、
前記マスターネットワークデバイスは、前記宣言に基づいて、前記ワイヤレスネットワークにおいて前記デバイスを検出し、前記デバイスの検出に応答して、前記ワイヤレスネットワークにおいて前記デバイスの前記アップグレードサーバをサーチし、前記デバイスの前記アップグレードサーバから前記デジタル資産を取り出す、マスターネットワークデバイス。
【請求項１３】
請求項１に記載の接続型デバイスシステムにおいて使用されるためのデバイスであって、
前記デバイスは、前記ワイヤレスネットワークに追加されるとき、前記ワイヤレスネットワークにおいてそれ自体を宣言し、前記ワイヤレスネットワークにおいて前記アップグレードサーバを提供し、前記アップグレードサーバは、前記デバイスの特性を示す前記デジタル資産を取り出すために利用可能にする、デバイス。
【請求項１４】
マスターネットワークデバイスと、接続型デバイスシステムに組み込まれることになるデバイスとを備える前記接続型デバイスシステムに、前記デバイスを組み込むための組み込み方法であって、前記接続型デバイスシステムは、前記マスターネットワークデバイスと前記デバイスとを、ワイヤレスネットワークを介して接続し、前記方法は、
前記デバイスが、前記ワイヤレスネットワークに追加されるとき、前記ワイヤレスネットワークにおいてそれ自体を宣言するステップと、前記ワイヤレスネットワークにおいてアップグレードサーバを提供するステップであって、前記アップグレードサーバが前記デバイスの特性を示すデジタル資産を取り出すために利用可能にする、提供するステップと、
前記マスターネットワークデバイスが、前記宣言に基づいて、前記ワイヤレスネットワークにおいて前記デバイスを検出するステップと、前記デバイスの検出に応答して、前記ワイヤレスネットワークにおいて前記デバイスの前記アップグレードサーバをサーチするステップと、前記デバイスの前記アップグレードサーバから前記デジタル資産を取り出すステップと
を有する、組み込み方法。
【請求項１５】
請求項１に記載の接続型デバイスシステムを制御するためのコンピュータプログラムであって、前記コンピュータプログラムが前記接続型デバイスシステム上で実行されるときに、請求項１４に記載の組み込み方法を接続型デバイスシステムに行わせるためのプログラムコード手段を含む、コンピュータプログラム。
【発明の詳細な説明】
【技術分野】
【０００１】
本発明は、マスターネットワークデバイスと、接続型デバイスシステムに組み込まれることになるデバイスとを備える、接続型デバイスシステムに関する。接続型デバイスシステムは、マスターネットワークデバイスとデバイスとを、ワイヤレスネットワークを介して接続するように構成されている。本発明はさらに、接続型デバイスシステムにおいて使用するためのマスターネットワークデバイス及びデバイスに関する。また、本発明は、接続型デバイスシステムにデバイスを組み込むための組み込み方法に関する。
【背景技術】
【０００２】
接続型照明システム、例えば、Ｐｈｉｌｉｐｓ  Ｈｕｅシステムにおいては、複数の照明デバイスが、ワイヤレスネットワークを介して、ブリッジなどのマスターネットワークデバイスに接続される。典型的に発光ダイオード（ＬＥＤ）を含む照明デバイスは、例えば、その色調又はそのスイッチオン／スイッチオフ時間に関して、マスターネットワークデバイスを介してワイヤレスで制御され得る。この目的のために、マスターネットワークデバイスに接続することができるスマートフォンが、マスターネットワークデバイスを介して照明デバイスをワイヤレスで制御するために、アプリを実行する。
【０００３】
接続型照明システムにおいては、例えば、異なるメーカーからの、照明デバイス、照明スイッチ、存在検出器などのセンサ、その他のさまざまな種類のデバイスが、接続型照明システムに組み込まれ得ることを予測することができる。例えば、Ｐｈｉｌｉｐｓ  Ｈｕｅシステムは、サードパーティメーカーからのデバイスによる拡張について「Ｆｒｉｅｎｄｓ  ｏｆ  Ｈｕｅ」プログラムを介してオープンにされている。
【０００４】
Ａｌｌｓｅｅｎ  Ａｌｌｉａｎｃｅ（オールシーンアライアンス）による論文「Ｇｅｔｔｉｎｇ  Ｓｔａｒｔｅｄ  ｗｉｔｈ  ｔｈｅ  ＡｌｌＪｏｙｎ（商標）Ｌｉｇｈｔｉｎｇ  Ｓｅｒｖｉｃｅ  Ｆｒａｍｅｗｏｒｋ１４．０６」（２０１４年９月３０日）は、ＡｌｌＪｏｙｎ（商標）Ｌｉｇｈｔｉｎｇ  ＳＤＫについて説明している。このＳＤＫは、照明サービスフレームワークによって提供される照明ソリューションを制御するためのＡｌｌＪｏｙｎ（商標）アプリケーションを構築するために、単純な照明ＡＰＩを、アプリケーション開発者に提供する。この照明サービスフレームワークは、２つのサービスコンポーネント、即ち、埋め込み型の照明デバイス（接続型の電球など）がコントローラサービスによって制御されるのを可能にするランプサービスと、ＡｌｌＪｏｙｎ（商標）アプリケーション（例えば、スマートフォン上で動くアプリケーション）がランプサービスを制御するのを可能にするコントローラサービスとを含む。
【０００５】
ＷＯ２００７／１０２０９７Ａ１は、照明システムと、その照明システムを動作させる方法とを開示している。複数の照明ユニットが、それぞれ、その光出力を制御するための照明制御ユニットと、ＲＥ通信若しくは電力線通信などの通信媒体上で通信するための通信ユニットとを伴う照明要素を備える。ユニットは、他の照明ユニットから光を受信するための光学受信機をさらに有する。コントローラユニットが、光学受信機、通信ユニット、及び照明制御ユニットに接続される。少なくとも構成段階での簡単な自動化セットアップを可能にするために、照明ユニットは、変調様式で照明要素を動作させることによって情報を送り、この情報は、生成された光を観察するさらなる照明ユニットによって受信される。
【発明の概要】
【発明が解決しようとする課題】
【０００６】
接続型照明システムにデバイスを組み込むことが予測される場合に、接続型照明システムが特定のデバイスを知らなければ、デバイスの特定の特性についての知識不足のために、そのデバイスを組み込むこと、及び／又は制御することは難しい。
【０００７】
本発明の目的は、マスターネットワークデバイスと、接続型デバイスシステムに組み込まれることになるデバイスとを備える、接続型デバイスシステムを提供することである。接続型デバイスシステムは、マスターネットワークデバイスとデバイスとを、ワイヤレスネットワークを介して接続するように構成されており、これにより、接続型デバイスシステムにデバイスを組み込む改善されたやり方を可能にする。本発明のさらなる目的は、接続型デバイスシステムにおいて使用するためのマスターネットワークデバイス及びデバイスを提供することである。また、本発明の目的は、接続型デバイスシステムにデバイスを組み込むための組み込み方法を提供することである。
【課題を解決するための手段】
【０００８】
本発明の第１の態様において、接続型デバイスシステムが提示され、接続型デバイスシステムは、
マスターネットワークデバイスと、接続型デバイスシステムに組み込まれることになるデバイスとを備え、ここで、接続型デバイスシステムは、マスターネットワークデバイスとデバイスとを、ワイヤレスネットワークを介して接続するように構成されており、
デバイスは、ワイヤレスネットワークに追加されるとき、ワイヤレスネットワークにおいてそれ自体を宣言し、ワイヤレスネットワークにおいてアップグレードサーバを提供するように構成されており、ここで、アップグレードサーバは、デバイスの特性を示すデジタル資産を取り出すために利用可能にし、
マスターネットワークデバイスは、宣言に基づいて、ワイヤレスネットワークにおいてデバイスを検出し、デバイスの検出に応答して、ワイヤレスネットワークにおいてデバイスのアップグレードサーバをサーチし、デバイスのアップグレードサーバからデジタル資産を取り出すように構成されている。
【０００９】
接続型デバイスシステムに組み込まれることになるデバイスが、ワイヤレスネットワークにおいてアップグレードサーバを提供し、デバイスの特性を示すデジタル資産を取り出すために利用可能にするので、且つ、マスターネットワークデバイスが、デバイスの検出に応答して、ワイヤレスネットワークにおいてデバイスのアップグレードサーバをサーチし、デバイスのアップグレードサーバからデジタル資産を取り出すので、デバイスを組み込むために、及び／又は制御するために要求される、若しくは少なくともそのために役立つデバイスの特定の特性を、デバイスそれ自体によって、接続型デバイスシステムに提供することができる。こうして、デバイスが、サードパーティメーカーによって提供されている、及び／又は、接続型デバイスシステムによってまだ知られていない新たに設計若しくは改良されたデバイスである場合、接続型デバイスシステムへのデバイスの組み込みは、好ましくは、デバイスの特定の特性についての情報を接続型デバイスシステムに提供する別個のステップ又はやり方を必要としない。これにより、接続型デバイスシステムにデバイスを組み込む改善されたやり方を導くことができる。
【００１０】
好ましくは、接続型デバイスシステムは、接続型デバイスシステムに組み込まれることになる多数のデバイスを備える。
【００１１】
マスターネットワークデバイスは、ワイヤレスネットワークにおいてアップグレードサーバを提供し、デバイスの検出に応答して、ワイヤレスネットワークにおいてアップグレードサーバの提供を中止するように構成されていることが好ましい。そのような構成において、マスターネットワークデバイスのアップグレードサーバは、例えば、デバイスのファームウェアを更新するためのファームウェア更新を含むデジタル資産を取り出すために利用可能にする。接続型デバイスシステムによって含まれるデバイスはそのとき、ワイヤレスネットワークにおいてマスターネットワークデバイスのアップグレードサーバをサーチし、マスターネットワークデバイスのアップグレードサーバからデジタル資産を取り出すように構成されてよい。マスターネットワークデバイスのアップグレードサーバと、接続型デバイスシステムに組み込まれることになるデバイスのアップグレードサーバとを区別するためのメカニズムが予測されない場合、即ち、デバイス及びマスターネットワークデバイスが、マスターネットワークデバイスのアップグレードサーバを見つけたのか、接続型デバイスシステムに組み込まれることになるデバイスのアップグレードサーバを見つけたのかを判定することができない場合、マスターネットワークデバイスがそれ自体のアップグレードサーバを同時に提供すると、マスターネットワークデバイスは、接続型デバイスシステムに組み込まれることになるデバイスのアップグレードサーバを正しく見つけることができないことがある。したがって、デバイスの組み込みのために、マスターネットワークデバイスが、ワイヤレスネットワークにおいてそれ自体のアップグレードサーバの提供を中止すれば、有利である。
【００１２】
接続型デバイスシステムに組み込まれることになるデバイスのアップグレードサーバと、マスターネットワークデバイスのアップグレードサーバとは、好ましくは同じ種類である。例えば、それらは、アップグレードサーバからデジタル資産を取り出すことを望むデバイスへのそれぞれの通信に同じインターフェースを提供する。このやり方により、１種類のみのアップグレードサーバが提供されるはずであり、全体のシステムアーキテクチャの単純化をもたらす。
【００１３】
デバイスのアップグレードサーバからのデジタル資産の取り出しが完了した後に、及び／又は、所定の遅延時間の後に、デバイスがワイヤレスネットワークにおいてアップグレードサーバの提供を中止するように構成されていることがさらに好ましい。上で説明したように、接続型デバイスシステムは、好ましくは、接続型デバイスシステムに組み込まれることになる多数のデバイスを備える。例えば、接続型デバイスシステムに組み込まれることになるデバイスが、ワイヤレスネットワークにおいてマスターネットワークデバイスのアップグレードサーバをサーチするときの衝突を避けるために、接続型デバイスシステムに組み込まれることになるデバイスはもっぱら、必要な間だけ、即ち、接続型デバイスシステムに組み込まれることになるデバイスのアップグレードサーバからのデジタル資産の取り出しが完了するまで、ワイヤレスネットワークにおいてそれ自体のアップグレードサーバを提供すべきである。また、接続型デバイスシステムに組み込まれることになるデバイスがそのアップグレードサーバの提供を中止した後の、所定の遅延時間の追加的な又は代替的な使用により、例えば、デジタル資産が時間内に取り出されない、又は全く取り出されない場合に、接続型デバイスシステムに組み込まれることになるデバイスがワイヤレスネットワークにおいてアップグレードサーバを「エンドレスに」提供するのを防ぐことを可能にする。
【００１４】
マスターネットワークデバイスは、デバイスのアップグレードサーバからのデジタル資産の取り出しの完了を示す完了情報を送信するように構成されており、ここで、デバイスは、完了情報の受信に応答して、中止を実施するように構成されていることが好ましい。このようにして、マスターネットワークデバイスは、接続型デバイスシステムに組み込まれることになるデバイスのアップグレードサーバからのデジタル資産の取り出しが完了したことを、接続型デバイスシステムに組み込まれることになるデバイスに合図することができ、その結果、接続型デバイスシステムに組み込まれることになるデバイスは、直ちにワイヤレスネットワークにおいてアップグレードサーバの提供を中止することができる。
【００１５】
接続型デバイスシステムに組み込まれることになるさらなるデバイスが検出された場合、マスターネットワークデバイスは、デバイスのアップグレードサーバからのデジタル資産の取り出しが完了した後に、さらなるデバイスのアップグレードサーバをサーチするように構成されていることがさらに好ましい。マスターネットワークデバイスが、接続型デバイスシステムに組み込まれることになるさらなるデバイスのアップグレードサーバを見つけると、マスターネットワークデバイスはまた、接続型デバイスシステムに組み込まれることになるさらなるデバイスのアップグレードサーバからデジタル資産を取り出すことができる。これにより、接続型デバイスシステムに多数のデバイスを一緒に組み込む単純なやり方を可能にする。
【００１６】
接続型デバイスシステムに組み込まれることになるさらなるデバイスが検出されなかった場合、マスターネットワークデバイスは、デバイスのアップグレードサーバからのデジタル資産の取り出しが完了した後に、ワイヤレスネットワークにおいてアップグレードサーバを提供するように構成されていることが好ましい。上で説明したように、マスターネットワークデバイスのアップグレードサーバは、例えば、デバイスのファームウェアを更新するためのファームウェア更新を含むデジタル資産を取り出すために利用可能にする。接続型デバイスシステムによって含まれるデバイスはそのとき、ワイヤレスネットワークにおいてマスターネットワークデバイスのアップグレードサーバをサーチし、マスターネットワークデバイスのアップグレードサーバからデジタル資産を取り出すように構成されてよい。再度、接続型デバイスシステムに組み込まれることになるデバイスのアップグレードサーバと、マスターネットワークデバイスのアップグレードサーバとは、好ましくは同じ種類である。例えば、それらは、アップグレードサーバからデジタル資産を取り出すことを望むデバイスへのそれぞれの通信に同じインターフェースを提供する。
【００１７】
マスターネットワークデバイスは、ワイヤレスネットワークにおいてアップグレードサーバを提供するように構成されており、デバイスは、ワイヤレスネットワークにおいてマスターネットワークデバイスのアップグレードサーバをサーチするように構成されており、ここで、サーチは、所定の遅延時間後になってのみ開始されることが好ましい。上で説明したように、マスターネットワークデバイスのアップグレードサーバと、接続型デバイスシステムに組み込まれることになるデバイスのアップグレードサーバとを区別するためのメカニズムが予測されない場合、接続型デバイスシステムに組み込まれることになるさらなるデバイスがワイヤレスネットワークにおいてそのアップグレードサーバを同時に提供している間に、ワイヤレスネットワークに組み込まれた後のデバイスが、ワイヤレスネットワークにおいてマスターネットワークデバイスのアップグレードサーバのサーチを既に開始すると、衝突が起こり得る。そのような衝突を避けるために、ワイヤレスネットワークにおいてマスターネットワークデバイスのアップグレードサーバのサーチが開始される前に、すべてのデバイスの組み込みが完了している可能性が最も高くなるように、所定の遅延時間が導入される。上で説明したように、接続型デバイスシステムに組み込まれることになるデバイスのアップグレードサーバと、マスターネットワークデバイスのアップグレードサーバとは、好ましくは同じ種類である。例えば、それらは、アップグレードサーバからデジタル資産を取り出すことを望むデバイスへのそれぞれの通信に同じインターフェースを提供する。
【００１８】
所定の遅延時間は、好ましくは、遅延時間の所定の範囲内、例えば、２分から１０分までの遅延時間の範囲内のランダムな遅延時間である。そのようなランダムな遅延時間は、接続型デバイスシステムに組み込まれることになる多数のデバイスを備える接続型デバイスシステムにおいて、接続型デバイスシステムに組み込まれることになるデバイスの、マスターネットワークデバイスのアップグレードサーバとの通信を、時間内に配分することを保証するのに有用であり、その結果、マスターネットワークデバイスのアップグレードサーバは、接続型デバイスシステムに組み込まれることになるデバイスとの通信を順次処理することができる。所定の遅延時間は、接続型デバイスシステムに組み込まれることになるデバイスが、ワイヤレスネットワークに追加される、又は参加するときに始まる。また、デバイスが接続型デバイスシステムに組み込まれた後で、ワイヤレスネットワークにおいてマスターネットワークデバイスのアップグレードサーバをサーチするプロセスは、デバイスが電源をオンにされた後、及び／又はワイヤレスネットワークに再参加した後に、再び実施される。これらのケースでもまた、上で説明したように、所定の遅延時間が予測される。
【００１９】
デジタル資産は、デバイスのタイプ及び／又は変形を示す情報、並びにデバイスのアイデンティティ及び／又は構成を示す情報のうちの１つ又は複数を含むことが好ましい。デバイスが、サードパーティメーカーによって提供されている、及び／又は、接続型デバイスシステムによってまだ知られていない新たに設計若しくは改良されたデバイスである場合、デバイスのタイプ及び／又は変形を示す情報は、デバイスの組み込み及び／又は制御をサポートすることができる。例えば、下でより詳細に説明するように、接続型デバイスシステムのユーザインターフェースが、接続型デバイスシステムによって含まれるデバイスを表すためのピクトグラムの使用を利用する。デバイスを表すためのピクトグラムを含むデジタル資産を、デバイスのアップグレードサーバにより取り出すために利用可能にすることによって、デバイスを表すためのピクトグラムが、ユーザインターフェースに対して利用可能であることを保証することができる。
【００２０】
また、アップグレードサーバを見つけるときに、マスターネットワークデバイスがどのデバイスがアップグレードサーバを提供するのかを知る手段を持たない場合、デバイスのアイデンティティを示す情報が、デジタル資産をデバイスに関連付けるために使用され得る。この関連付けは次いで、デバイスの組み込み及び／又は制御において、デジタル資産がさらに使用されるときに利用され得る。
【００２１】
接続型デバイスシステムに組み込まれることになるデバイスはまた、前に「スタンドアロン」デバイス構成において使用されていた（又は使用されるよう意図されていた）デバイスであってもよく、ここでは例えば、デバイス（例えば、照明デバイス）を直接制御するリモートコントロール又は照明スイッチなどのコントローラであってもよい。デバイスを、「スタンドアロン」デバイス構成から、マスターネットワークデバイス（及び場合によりさらなるデバイス）を備える接続型デバイスシステムへと移すために、このプロセスにおける１つのステップとして、デバイスそれ自体によって知られたスタンドアロン構成の一部を、マスターネットワークデバイスに移すことが役立つことがある。
【００２２】
マスターネットワークデバイスは、デジタル資産のコンテンツをローカルに格納し、コンテンツをデバイスに関連付けるように構成されていることがさらに好ましい。そうすることによって、デジタル資産、及び接続型デバイスシステムに組み込まれることになるデバイスとの関連付けが、接続型デバイスシステムのマスターネットワークデバイスで集中的に利用可能となり、その結果、接続型デバイスシステムにおいて簡単にアクセス可能になる。
【００２３】
デジタル資産は、デジタル資産ファイルとして利用可能にされ、マスターネットワークデバイスは、アップグレードサーバからデジタル資産ファイルをダウンロードするように構成されていることが好ましい。好ましくは、デジタル資産ファイルは、デジタル資産ファイルのコンテンツを記述するフォーマットを有する。例えば、デジタル資産ファイルは、ＸＭＬ（拡張可能なマークアップ言語）フォーマットで提供される。
【００２４】
接続型デバイスシステムは、
マスターネットワークデバイスに接続し、マスターネットワークデバイスを介してデバイスをワイヤレスで制御するためのプログラムを実行するように構成されたモバイルデバイスをさらに備え、
ここで、マスターネットワークデバイスは、デジタル資産のコンテンツをモバイルデバイスに対して利用可能にするように構成されている
ことがさらに好ましい。
【００２５】
モバイルデバイスは、スマートフォン、タブレットコンピュータ、リモートコントロールなどであってよく、モバイルデバイスによって実行されるプログラムは、例えば、アプリであってよい。上で説明したように、アプリは、接続型デバイスシステムによって含まれるデバイスを表すためのピクトグラムを利用するユーザインターフェースを提供することができる。マスターネットワークデバイスはデジタル資産のコンテンツをモバイルデバイスに対して利用可能にするように構成されているので、例えば、接続型デバイスシステムに組み込まれることになるデバイスを表すためのピクトグラムを含むデジタル資産のコンテンツは、ユーザインターフェースに対して利用可能であることが保証され得る。
【００２６】
接続型デバイスシステムは、接続型照明システムであることが好ましい。接続型照明システムにおいて、接続型デバイスシステムに組み込まれることになるデバイスは、照明デバイス、照明スイッチ、存在検出器などのセンサ等であってよい。接続型照明システムが接続型デバイスシステムに組み込まれることになる多数のデバイスを備える場合、接続型デバイスシステムに組み込まれることになる多数のデバイスはまた、照明デバイス、照明スイッチ、存在センサなどのセンサ、その他の組合せであってもよい。接続型照明システムは、マスターネットワークデバイスを介して、デバイスのいくつかの制御を可能にする。例えば、接続型照明システムによって含まれる照明デバイスは、その色調又はそのスイッチオン／スイッチオフ時間に関して、モバイルデバイスによって実行されるプログラムを用いて制御される。また、接続型照明システムによって含まれる照明スイッチ又は存在センサからの入力が、照明デバイスのスイッチオン／スイッチオフを制御するために使用される。当然ながら、より進化した制御の概念が接続型照明システムにおいて使用されることもある。例えば、手を叩く、口笛を吹く、又は一定のフレーズを話すなどの聴覚事象を感知するために、オーディオセンサが接続型照明システムにおいて使用されることがあり、ここで、照明デバイスはそのとき、そのような聴覚事象の検出に応答して制御される。
【００２７】
例えば、マスターネットワークデバイスと、接続型デバイスシステムに組み込まれることになるデバイスとの間の、接続型デバイスシステムにおける通信は、好ましくは、ＺｉｇＢｅｅ（登録商標）  Ａｌｌｉａｎｃｅによって開発されたＺｉｇＢｅｅ（登録商標）プロトコルなどの、オープン標準プロトコルに少なくとも部分的に基づく。とりわけ、接続型デバイスシステムが接続型照明システムである場合、通信は、相互運用可能で使用が簡単な照明及び制御製品のためのグローバル標準であるＺｉｇＢｅｅ（登録商標）  Ｌｉｇｈｔ  Ｌｉｎｋを利用する。この標準は、ユーザがＬＥＤ備品、電球、タイマー、リモコン、及びスイッチなどの異なるデバイスのワイヤレス制御を得るのを可能にする。ＺｉｇＢｅｅ（登録商標）プロトコル、とりわけ、ＺｉｇＢｅｅ（登録商標）  Ｌｉｇｈｔ  Ｌｉｎｋが使用される場合、マスターネットワークデバイス及び／又は接続型デバイスシステムに組み込まれることになるデバイスによって提供されるアップグレードサーバは、好ましくは、ＺｉｇＢｅｅ（登録商標）無線（ＯＴＡ：ｏｖｅｒ−ｔｈｅ−ａｉｒ）アップグレードサーバである。
【００２８】
本発明のさらなる態様において、請求項１に記載の接続型デバイスシステムにおいて使用するためのマスターネットワークデバイスが提示され、
マスターネットワークデバイスは、宣言に基づいて、ワイヤレスネットワークにおいてデバイスを検出し、デバイスの検出に応答して、ワイヤレスネットワークにおいてデバイスのアップグレードサーバをサーチし、デバイスのアップグレードサーバからデジタル資産を取り出すように構成されている。
【００２９】
本発明のさらなる態様において、請求項１に記載の接続型デバイスシステムにおいて使用されるためのデバイスが提示され、
デバイスは、ワイヤレスネットワークに追加されるとき、ワイヤレスネットワークにおいてそれ自体を宣言し、ワイヤレスネットワークにおいてアップグレードサーバを提供するように構成されており、ここで、アップグレードサーバは、デバイスの特性を示すデジタル資産を取り出すために利用可能にする。
【００３０】
本発明のさらなる態様において、マスターネットワークデバイスと、接続型デバイスシステムに組み込まれることになるデバイスとを備える接続型デバイスシステムに、デバイスを組み込むための組み込み方法が提示され、ここで、接続型デバイスシステムは、マスターネットワークデバイスとデバイスとを、ワイヤレスネットワークを介して接続するように構成されており、方法は、
デバイスが、ワイヤレスネットワークに追加されるとき、ワイヤレスネットワークにおいてそれ自体を宣言するステップと、ワイヤレスネットワークにおいてアップグレードサーバを提供するステップであって、アップグレードサーバがデバイスの特性を示すデジタル資産を取り出すために利用可能にする、提供するステップと、
マスターネットワークデバイスが、宣言に基づいて、ワイヤレスネットワークにおいてデバイスを検出するステップと、デバイスの検出に応答して、ワイヤレスネットワークにおいてデバイスのアップグレードサーバをサーチするステップと、デバイスのアップグレードサーバからデジタル資産を取り出すステップと
を有する。
【００３１】
本発明のさらなる態様において、請求項１に記載の接続型デバイスシステムを制御するためのコンピュータプログラムが提示され、コンピュータプログラムが接続型デバイスシステム上で実行されるときに、コンピュータプログラムは、請求項１４に記載の組み込み方法を接続型デバイスシステムに行わせるためのプログラムコード手段を含む。
【００３２】
コンピュータプログラムは、いくつかのサブプログラムを含み、組み込み方法に従ってこれらの要素を制御するために、例えば、第１のサブプログラムが、マスターネットワークデバイス上で実行され、第２のサブプログラムが、デバイス上で実行される。
【００３３】
請求項１の接続型デバイスシステム、請求項１２のマスターネットワークデバイス、請求項１３のデバイス、請求項１４の組み込み方法、及び請求項１５のコンピュータプログラムは、とりわけ従属請求項に記載されるのと同様の、及び／又は同一の好ましい実施形態を有することが理解される。
【００３４】
本発明の好ましい実施形態はまた、それぞれの独立請求項との、従属請求項又は上の実施形態の任意の組合せであってもよいことが理解される。
【００３５】
本発明のこれらの、及び他の態様は、以下で説明される実施形態から明らかとなり、実施形態を参照して解明されるであろう。
【図面の簡単な説明】
【００３６】
【図１】マスターネットワークデバイスと、接続型デバイスシステムに組み込まれることになるデバイスとを備える、接続型デバイスシステムの実施形態を概略的且つ例示的に示す図である。
【図２】図１に示した接続型デバイスシステムにデバイスを組み込むための組み込み方法の実施形態を例示的に示す流れ図である。
【図３】図１に示した接続型デバイスシステムに２つのデバイスを組み込む間に実施される動作のシーケンスを例示的に示すより詳細な流れ図である。
【発明を実施するための形態】
【００３７】
図１は、マスターネットワークデバイス２と、接続型デバイスシステム１に組み込まれることになるデバイス５とを備える、接続型デバイスシステム１の実施形態を概略的且つ例示的に示す。この実施形態において、接続型デバイスシステム１は、接続型照明システムである。接続型照明システム１は、この実施形態においてはブリッジであるマスターネットワークデバイス２と、ここでは照明デバイスであるデバイス５とを、ワイヤレスネットワーク４を介して接続するように構成されている。
【００３８】
接続型照明システム１はさらに、ここではスマートフォンであるモバイルデバイス７を備え、モバイルデバイス７は、ブリッジ２に接続し、ブリッジ２を介して照明デバイス５をワイヤレスで制御するためのプログラム、とりわけ、アプリを実行するように構成されている。例えば、アプリは、照明デバイス５を、その色調又はそのスイッチオン／スイッチオフ時間に関して制御することを可能にする。
【００３９】
照明デバイス５は、ワイヤレスネットワーク４に追加されるとき、ワイヤレスネットワーク４においてそれ自体を宣言し、ワイヤレスネットワーク４においてアップグレードサーバを提供するように構成されている。ここで、アップグレードサーバは、照明デバイス５の特性を示すデジタル資産を取り出すために利用可能にする。また、ブリッジ２は、宣言に基づいて、ワイヤレスネットワーク４において照明デバイス５を検出し、照明デバイス５の検出に応答して、ワイヤレスネットワーク４において照明デバイス５のアップグレードサーバをサーチし、照明デバイス５のアップグレードサーバからデジタル資産を取り出すように構成されている。上で説明したように、この構成を用いて、照明デバイス５を組み込むために、及び／又は制御するために要求される、若しくは少なくともそのために役立つ照明デバイス５の特定の特性を、照明デバイス５それ自体によって、接続型照明システム１に提供することができる。
【００４０】
例えば、本実施形態において、アプリは、接続型照明システム１によって含まれるデバイスを表すためのピクトグラムを利用するユーザインターフェースを提供する。照明デバイス５が、サードパーティメーカーによって提供されている、及び／又は、接続型照明システム１によってまだ知られていない新たに設計若しくは改良されたデバイスである場合、アプリは、照明デバイス５を表すための利用可能な好適なピクトグラムを有していないことがある。このケースでは、アプリは、新たに組み込まれた（照明）デバイスを示すデフォルトピクトグラムなどの、既に利用可能なピクトグラムしか使用することができない。
【００４１】
これを考慮して、照明デバイス５のアップグレードサーバによって取り出すために利用可能にされたデジタル資産は、照明デバイス５を表すためのピクトグラムを含み、ブリッジ２は、デジタル資産のコンテンツをスマートフォン７に対して利用可能にするように構成されている。したがって、デバイスを表すためのピクトグラムが、ユーザインターフェースに対して利用可能であることを保証することができる。また、この実施形態において、デジタル資産はさらに、照明デバイス５のアイデンティティを示す情報を含む。この情報は、デジタル資産を照明デバイス５に関連付けるために使用される。ブリッジ２は、ここで、デジタル資産のコンテンツをローカルに格納し、コンテンツを照明デバイス５に関連付ける。
【００４２】
この例において、デジタル資産は、デジタル資産ファイルとして利用可能にされ、ブリッジ２は、照明デバイス５のアップグレードサーバからデジタル資産ファイルをダウンロードするように構成されている。他の実施形態において、デジタル資産は、照明デバイス５のアップグレードサーバによって、ブリッジ２へとストリーミングされることもまた可能である。好ましくは、デジタル資産ファイルは、デジタル資産ファイルのコンテンツを記述するフォーマットを有する。例えば、デジタル資産ファイルは、ＸＭＬ（拡張可能なマークアップ言語）フォーマットで提供される。
【００４３】
ここで、ブリッジ２は、インターネット上でポータル８に接続するようにさらに構成されている。ポータル８は、接続型照明システム１のユーザが、世界中のどこからでも接続型照明システム１に接続し、接続型照明システム１を制御するのを可能にするオンライン制御パネルを提供する。これにより、ユーザは、例えば、自分がもともと考えていたよりも後に帰宅することになるとわかった場合に、照明をスイッチオフすることが可能になる。加えて、ポータル８はまた、個人化された照明シナリオ及び「照明レシピ」を格納し、且つ／又は、ブリッジ２のソフトウェアを（自動的に）アップグレードするように構成されている。
【００４４】
この実施形態において、ブリッジ２は、ワイヤレスネットワーク４においてアップグレードサーバを提供し、照明デバイス５の検出に応答して、アップグレードサーバの提供を中止するように構成されている。ブリッジ２のアップグレードサーバは、例えば、デバイスのファームウェアを更新するためのファームウェア更新を含むデジタル資産を取り出すために利用可能にする。また、照明デバイス５は、照明デバイス５のアップグレードサーバからのデジタル資産の取り出しが完了した後に、ワイヤレスネットワーク４においてアップグレードサーバの提供を中止するように構成されている。とりわけ、ブリッジ２は、照明デバイス５のアップグレードサーバからのデジタル資産の取り出しの完了を示す完了情報を送信するように構成されており、ここで、照明デバイス５は、完了情報の受信に応答して、中止を実施するように構成されている。他の実施形態において、照明デバイス５はまた、追加として又は代替として、所定の遅延時間の後に、ワイヤレスネットワーク４においてアップグレードサーバの提供を中止するように構成されてもよい。
【００４５】
接続型照明システム１に組み込まれることになるさらなるデバイス６、ここでは例えば、照明スイッチが検出されている場合、ブリッジ２は、照明デバイス５のアップグレードサーバからのデジタル資産の取り出しが完了した後に、照明スイッチ６のアップグレードサーバをサーチするように構成されている。ブリッジ２が照明スイッチ６のアップグレードサーバを見つけると、ブリッジ２はまた、照明スイッチ６のアップグレードサーバからデジタル資産を取り出すことができる。一方で、接続型照明システム１に組み込まれることになるさらなるデバイスが検出されていない場合、ブリッジ２は、照明デバイス５のアップグレードサーバからのデジタル資産の取り出しが完了した後に、ワイヤレスネットワーク４においてアップグレードサーバを提供するように構成されている。上で説明したように、ブリッジ２のアップグレードサーバは、例えば、デバイスのファームウェアを更新するためのファームウェア更新を含むデジタル資産を取り出すために利用可能にする。
【００４６】
この実施形態において、照明デバイス５は、ワイヤレスネットワーク４においてブリッジ２のアップグレードサーバをサーチするように構成されており、ここで、サーチは、照明デバイス５がワイヤレスネットワーク４に追加された後の所定の遅延時間になって初めて開始される。この実施形態において、所定の遅延時間は、遅延時間の所定の範囲内、例えば、２分から１０分までの遅延時間の範囲内のランダムな遅延時間である。所定の遅延時間は、照明デバイス５がワイヤレスネットワーク４に追加される、又は参加するときに始まる。また、照明デバイス５が接続型照明システム１に組み込まれた後で、ワイヤレスネットワーク４においてブリッジ２のアップグレードサーバをサーチするプロセスは、照明デバイス５が電源をオンにされた、及び／又はワイヤレスネットワーク４に再参加した後に、再び実施される。これらのケースでもまた、上で説明したように、所定の遅延時間が予測される。
【００４７】
ここで、例えば、ブリッジ２と照明デバイス５との間の、接続型照明システム１における通信は、オープン標準プロトコルに、とりわけ、ＺｉｇＢｅｅ（登録商標）  Ａｌｌｉａｎｃｅによって開発されたＺｉｇＢｅｅ（登録商標）プロトコルに少なくとも部分的に基づく。より詳細には、通信は、相互運用可能で使用が簡単な照明及び制御製品のためのグローバル標準であるＺｉｇＢｅｅ（登録商標）  Ｌｉｇｈｔ  Ｌｉｎｋを利用する。ブリッジ２及び／又は照明デバイス５によって提供されるアップグレードサーバは、ＺｉｇＢｅｅ（登録商標）無線（ＯＴＡ）アップグレードサーバである。
【００４８】
以下では、図１に示した接続型デバイスシステム１にデバイス５を組み込むための組み込み方法の実施形態を、図２に示す流れ図を参照して例示的に説明する。図１を参照して上で説明したように、この実施形態において、接続型デバイスシステム１は、接続型照明システムであり、マスターネットワークデバイス２は、ブリッジであり、デバイス５は、照明デバイスである。
【００４９】
ステップＳ１０１で、照明デバイス５は、ワイヤレスネットワーク４に追加されるとき、ワイヤレスネットワーク４においてそれ自体を宣言し、ワイヤレスネットワーク４においてアップグレードサーバを提供する。ここで、アップグレードサーバは、照明デバイス５の特性を示すデジタル資産を取り出すために利用可能にする。
【００５０】
ステップＳ１０２で、ブリッジ２は、宣言に基づいて、ワイヤレスネットワーク４において照明デバイス５を検出し、照明デバイス５の検出に応答して、ワイヤレスネットワーク４において照明デバイス５のアップグレードサーバをサーチし、照明デバイス５のアップグレードサーバからデジタル資産を取り出す。
【００５１】
図１に示した接続型デバイスシステム１に、２つのデバイス５、６を組み込む間に実施される動作のシーケンスを例示的に示すより詳細な流れ図が、図３に示されている。図１を参照して上で説明したように、この実施形態において、接続型デバイスシステム１は、接続型照明システムであり、マスターネットワークデバイス２は、ブリッジであり、デバイス５は、照明デバイスであり、さらなるデバイス６は、照明スイッチである。ここで、照明デバイス５及び照明スイッチ６は、接続型照明システム１に一緒に組み込まれることが想定される。図３は、図１に示した要素に加えて、ブリッジ２、照明デバイス５、及び照明スイッチ６によって提供されるアップグレードサーバ１２、１５、１６を示す。図において、動作のシーケンスは、順次上から下へと例示的に示される。
【００５２】
照明デバイス５及び照明スイッチ６の組み込みは、ブリッジ２がワイヤレスネットワーク４においてアップグレードサーバ１２を提供している状態において開始される。照明デバイス５は、ワイヤレスネットワーク４に追加されるとき（図には示されず）、ステップＳ２０１で、ワイヤレスネットワーク４においてアップグレードサーバ１５を提供し、ステップＳ２０２で、ワイヤレスネットワーク４においてそれ自体を宣言する。少しばかり後になって初めて、同じステップが、照明スイッチ６によって実施され、即ち、照明スイッチ６は、ステップＳ２０３で、ワイヤレスネットワーク４においてアップグレードサーバ１６を提供し、ステップＳ２０４で、ワイヤレスネットワーク４においてそれ自体を宣言する。照明デバイス５及び照明スイッチ６のアップグレードサーバ１５、１６の両方は、それぞれのデバイスの特性を示すデジタル資産を取り出すために利用可能にする。
【００５３】
ブリッジ２は、照明デバイス５及び照明スイッチ６を、それぞれの宣言（図にステップは示されず）に基づいて検出し、ステップＳ２０５で、照明デバイス５及び照明スイッチ６の検出に応答して、アップグレードサーバ１２の提供を中止する。ブリッジ２は次いで、ワイヤレスネットワーク４において、照明デバイス５及び照明スイッチ６のアップグレードサーバ１５、１６をサーチする（図にステップは示されず）。この例において、ブリッジ２は最初に、照明デバイス５のアップグレードサーバ１５を見つけ、それに接続し、照明デバイス５のアップグレードサーバ１５からデジタル資産を取り出す。
【００５４】
ここで、これらの動作は、ＺｉｇＢｅｅ（登録商標）メッセージを用いて実現される。とりわけ、ステップＳ２０６で、ＺｉｇＢｅｅ（登録商標）「ＭａｔｃｈＤｅｓｃｒｉｐｔｏｒＲｅｑｕｅｓｔ」メッセージが、ブリッジ２から、照明デバイス５のアップグレードサーバ１５に送られ、それに応答して、ＺｉｇＢｅｅ（登録商標）「ＭａｔｃｈＤｅｓｃｒｉｐｔｏｒＲｅｓｐｏｎｓｅ」メッセージが、照明デバイス５のアップグレードサーバ１５から、ブリッジ２に送られる。ＺｉｇＢｅｅ（登録商標）プロトコルにおいて、これらのメッセージは、ＯＴＡアップグレードサーバの発見の一部を形成する。次いでデジタル資産の取り出しが、以下を含む通信を用いて実施される。ステップＳ２０７で、ブリッジ２は、ＺｉｇＢｅｅ（登録商標）「ＱｕｅｒｙＮｅｘｔＩｍａｇｅＲｅｑｕｅｓｔ」メッセージを、照明デバイス５のアップグレードサーバ１５に送り、このメッセージは、対応するＺｉｇＢｅｅ（登録商標）「ＱｕｅｒｙＮｅｘｔＩｍａｇｅＲｅｓｐｏｎｓｅ」メッセージで、照明デバイス５のアップグレードサーバ１５によって返答される。ステップＳ２０８で、ブリッジ２は、ＺｉｇＢｅｅ（登録商標）「ＩｍａｇｅＢｌｏｃｋＲｅｑｕｅｓｔ」メッセージを、照明デバイス５のアップグレードサーバ１５に送り、このメッセージは、対応するＺｉｇＢｅｅ（登録商標）「ＩｍａｇｅＢｌｏｃｋＲｅｓｐｏｎｓｅ」メッセージで、照明デバイス５のアップグレードサーバ１５によって返答される。ＺｉｇＢｅｅ（登録商標）「ＱｕｅｒｙＮｅｘｔＩｍａｇｅＲｅｑｕｅｓｔ」メッセージは、通常、新しい（ファームウェア）画像が利用可能かどうかを、マスターネットワーク要素のアップグレードサーバに照会するために、ＺｉｇＢｅｅ（登録商標）プロトコルに準じて使用される。本ケースにおいて、そのメッセージは、照明デバイス５のアップグレードサーバ１５によって（新しい）デジタル資産が提供されるかどうかの照会として、照明デバイス５のアップグレードサーバ１５によって解釈される。また、ＺｉｇＢｅｅ（登録商標）プロトコルに準じて、ファームウェア画像はブロック単位で取り出される。したがって、本ケースにおいて、ブリッジ２は、ＺｉｇＢｅｅ（登録商標）「ＩｍａｇｅＢｌｏｃｋＲｅｑｕｅｓｔ」メッセージを使用して、照明デバイス５のアップグレードサーバ１５から、デジタル資産をブロック単位で取り出す。
【００５５】
照明デバイス５のアップグレードサーバ１５からのデジタル資産の取り出しが完了した後、ブリッジ２は、ステップＳ２０９で、照明デバイス５のアップグレードサーバ１５からのデジタル資産の取り出しの完了を示す完了情報を送信する。ここで、完了情報は、ＺｉｇＢｅｅ（登録商標）「ＥｎｄＲｅｑｕｅｓｔ」メッセージであり、このメッセージは、対応するＺｉｇＢｅｅ（登録商標）「ＥｎｄＲｅｓｐｏｎｓｅ」メッセージで照明デバイス５によって返答される。完了情報の受信に応答して、ステップＳ２１０で、照明デバイス５は次いで、ワイヤレスネットワーク４においてそのアップグレードサーバ１５の提供を中止する。
【００５６】
ブリッジ２はまた照明スイッチ６を検出しているので、ブリッジ２は、今度は照明スイッチ６のアップグレードサーバ１６をサーチし、それを検出すると、上で説明したのと同じステップ（図にはステップＳ２１１として一括して表す）が、ブリッジ２及び照明スイッチ６によって実施される。
【００５７】
接続型照明システム１に組み込まれることになるさらなるデバイスは検出されておらず、ブリッジ２は、照明デバイス５から、及び照明スイッチ６から、すべての該当情報を取り出しているので、ブリッジ２は、この実施形態において、特定のアプリケーションに依存し得るさらなる動作（図にはステップＳ２１２として表す）を実施し、ステップＳ２１３で、ワイヤレスネットワーク４においてそれ自体のアップグレードサーバ１２を再び提供する。上で説明したように、ブリッジ２のアップグレードサーバ１２は、例えば、デバイスのファームウェアを更新するためのファームウェア更新を含むデジタル資産を取り出すために利用可能にする。ステップＳ２１４及びＳ２１５で、照明デバイス５及び照明スイッチ６は、ワイヤレスネットワーク４において、ブリッジ２のアップグレードサーバ１２をそれぞれサーチし、以下において、ブリッジ２のアップグレードサーバ１２からデジタル資産をそれぞれ取り出す（図には示されず）。上で説明したように、サーチは、照明デバイス５及び照明スイッチ６がワイヤレスネットワーク４に追加された後の所定の遅延時間になって初めて開始される。
【００５８】
開示された実施形態に対する他のバリエーションは、図面、開示、及び添付の特許請求の範囲の検討から、特許請求される発明を実践する際に当業者によって理解され、実施され得る。
【００５９】
図１に示した接続型照明システム１において、照明デバイス５はまた、前に「スタンドアロン」デバイス構成において使用されていた（又は使用されるよう意図されていた）デバイスであってもよく、ここでは例えば、照明デバイス５を直接制御するリモートコントロール又は照明スイッチなどのコントローラであってもよい。この状況において、デバイスを、「スタンドアロン」デバイス構成から、ブリッジ２を備える接続型照明システム１へと移すために、このプロセスにおける１つのステップとして、デバイスそれ自体によって知られたスタンドアロン構成の一部を、マスターネットワークデバイスに移すことが役立つことがある。これは、照明デバイス５のアップグレードサーバによって利用可能にされたデジタル資産が照明デバイス５の構成を示す情報を含む場合に達成されてよい。
【００６０】
また、図１に示した接続型照明システム１において、照明デバイス５のアイデンティティを示す情報は、ＺｉｇＢｅｅ（登録商標）プロトコルによって定義される要素、例えば、一定のＺｉｇＢｅｅ（登録商標）デバイスを識別する「デバイスタイプ」要素であってもよい。
【００６１】
図１に示した接続型照明システム１は、照明デバイス３をさらに備えることに留意されたい。これは、例えば、接続型照明システム１に既に組み込まれているサードパーティメーカーからのデバイスで、照明デバイス５及び／又は照明スイッチ６のように、対応する特徴及び特性を提供するデバイスであることがある。しかしながら、照明デバイス３はまた、接続型照明システム１のメーカーによって提供されており、したがって、接続型照明システム１によって既に知られているデバイスであることがあり、その結果、照明デバイス３を組み込むために、及び／又は制御するために、デバイスの特定の特性についてのさらなる知識は必要ないことがある。このケースにおいて、照明デバイス３は、照明デバイス３の特性を示すデジタル資産を取り出すために利用可能にするために、ワイヤレスネットワーク４においてアップグレードサーバを提供することができないことがある。特許請求の範囲において、単語「ｃｏｍｐｒｉｓｉｎｇ（含む）」は、他の要素又はステップを排除せず、不定冠詞「ａ」又は「ａｎ」は、複数性を排除しない。
【００６２】
上で説明したシナリオは別として、本発明はまた、メーカーが新しい又は改善された機能性を備えたデバイスの新しいバージョンを導入することを望む場合に、有益に用いられてよい。新しいデバイスはそのとき、デバイスの以前のバージョンをアップグレードするためのファームウェア画像を含む。ユーザがそのような新しいデバイスを購入するとき、ユーザは、既に持っているより古いデバイスを、説明されたサーバベースのメカニズムを通してアップグレードするように勧められる。言い換えれば、このシナリオにおいて、接続型デバイスシステムに組み込まれることになるデバイスのデジタル資産は、デバイスの以前のバージョンをアップグレードするためのファームウェア画像を含む。デバイスがワイヤレスネットワークに追加されるとき、マスターネットワークデバイスは、デバイスのアップグレードサーバからファームウェア画像を取り出し、それを、デバイスの以前のバージョンによる取り出しのために、それ自体のアップグレードサーバを介して利用可能にすることができる。これは、メーカーが、特別なファームウェア配布チャネルをセットアップする必要がないという利点を有することができる。代わりに、ユーザが新しいデバイスを買った場合に、ユーザが、デバイスの以前のバージョンをアップグレードすることができる。
【００６３】
単一のユニット又はデバイスは、特許請求の範囲に挙げられたいくつかの項目の機能を遂行することがある。一定の手段が互いに異なる従属請求項に挙げられているという単なる事実は、これらの手段の組合せを有利に使用することができないことを示すものではない。
【００６４】
接続型デバイスシステムに組み込まれることになるデバイスの宣言、又は、１つ若しくはいくつかのユニット若しくはデバイスによって実施される、デバイスの検出に応答したワイヤレスネットワークにおけるデバイスのアップグレードサーバのサーチのような手続きは、任意の他の数のユニット若しくはデバイスによって実施され得る。組み込み方法に従った接続型デバイスシステムのこれらの手続き及び／又は制御は、コンピュータプログラムのプログラムコード手段として、及び／又は専用のハードウェアとして実行され得る。とりわけ、組み込み方法に従った接続型デバイスシステムの制御は、接続型デバイスシステムに組み込まれることになるデバイスにおいて、及びマスターネットワークデバイスにおいて実行されてよく、ここで、これらのデバイスにおける実行は、組み込み方法に従って接続型デバイスシステムを制御するために協働する。
【００６５】
コンピュータプログラムは、他のハードウェアと一緒に、又は他のハードウェアの一部として供給される光学ストレージ媒体又はソリッドステート媒体などの好適な媒体上に格納／配布されるが、インターネット又は他の有線若しくはワイヤレス電気通信システムなどを介して、他の形態で配布されてもよい。
【００６６】
特許請求の範囲におけるいかなる参照符号も、その範囲を限定するものとして解釈されるべきではない。
【図１】
2018510482.tif 000003
【図２】
2018510482.tif 000004
【図３】
2018510482.tif 000005
【国際調査報告】
2018510482.tif 000006
2018510482.tif 000007
2018510482.tif 000008